【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
包帯剤アセンブリであって、前記包帯剤アセンブリは：
内部表面を有する第一支持構造体；
対向する表面を有する第二支持構造体であって、前記第一支持構造体は、主曲げ軸を含む主曲げ領域で前記第二支持構造体に移動可能に連結されている、第二支持構造体；ならびに
弾性包帯剤であって、前記弾性包帯剤は、前記第一支持構造体の前記内部表面に除去可能に連結されている第一縁部領域と、前記第二支持構造体の前記対向する表面に除去可能に連結されている第二縁部領域とを含む、弾性包帯剤を含み；
ここで、前記第一支持構造体および前記第二支持構造体は、前記対向する表面が、前記包帯剤の前記第一の表面と相互接触し、かつ前記第一の表面と実質的に平行であり、そして前記包帯剤が緩和した構成にある第一の位置から、前記第一支持構造体および前記第二支持構造体が、歪ませた構成で前記包帯剤に対して所定の歪を発揮する第二の位置まで、前記主曲げ軸の周りを互いに対して移動するように構成されている、包帯剤アセンブリ。
【請求項２】
前記包帯剤が、接着領域を有する第一の表面を含む、請求項１に記載のアセンブリ。
【請求項３】
前記包帯剤の前記第一の表面が、前記包帯剤上の前記接着領域と相互接触している接着裏当てを含む、請求項２に記載のアセンブリ。
【請求項４】
前記第二支持構造体の前記対向する表面が、前記第二支持構造体が前記第一の位置にあるときには前記包帯剤の前記接着領域を覆い、かつ前記第二支持構造体が前記第二の位置にあるときには前記接着領域から分離される接着裏当てを含む、請求項２に記載のアセンブリ。
【請求項５】
前記包帯剤の前記第二縁部領域を前記第二支持構造体に連結する引張構造体をさらに含む、請求項１に記載のアセンブリ。
【請求項６】
前記引張構造体が、張力負荷方向で前記包帯剤よりも弾性が低い材料のシートを含む、請求項５に記載のアセンブリ。
【請求項７】
前記包帯剤の前記第一縁部領域を前記第一支持構造体に連結する引張構造体をさらに含む、請求項１に記載のアセンブリ。
【請求項８】
前記引張構造体が、張力負荷方向で前記包帯剤よりも剛性が高い材料を含む、請求項７に記載のアセンブリ。
【請求項９】
前記包帯剤は、前記第二支持構造体が前記第一の位置にあるときに第一の幅を有し、かつ前記第二支持構造体が前記第二の位置にあるときに第二の幅を有し、ここで前記第二の幅は、前記第一の幅より広く、かつ前記包帯剤は、前記第二の幅で歪を負荷される、請求項８に記載のアセンブリ。
【請求項１０】
前記第二の幅が、前記第一の幅より少なくとも２０％広い、請求項９に記載のアセンブリ。
【請求項１１】
前記第二の幅が、前記第一の幅より少なくとも４０％広い、請求項９に記載のアセンブリ。
【請求項１２】
前記第一支持構造体が、少なくとも１つの相対的に剛性の構造体と少なくとも１つの相対的に可撓性の構造体とを含み、前記相対的に剛性の構造体は、第一の方向に歪力がかけられたときに前記包帯剤を支持するのに十分剛性であり；かつ前記相対的に可撓性の構造体は、前記第一支持構造体の第二の方向への屈曲を可能にする、請求項１に記載のアセンブリ。
【請求項１３】
前記少なくとも１つの相対的に剛性の構造体が、複数の可撓性の連結された、相対的に剛性の構造体を含む、請求項１２に記載のアセンブリ。
【請求項１４】
前記第二支持構造体が、少なくとも１つの相対的に剛性の構造体、および前記第二支持構造体の付形を可能にするのに十分な可撓性のある少なくとも１つの相対的に可撓性の構造体を含む、請求項１に記載のアセンブリ。
【請求項１５】
前記包帯剤が第二の歪ませた構成にある間に前記包帯剤を被験体の創傷または皮膚に適用した後、前記第一支持構造体から前記包帯剤が剥離されるように構成された剥離デバイスをさらに含む、請求項１に記載のアセンブリ。
【請求項１６】
前記包帯剤が、前記第一支持構造体に付着された第一包帯剤付着領域と；前記第二支持構造体に付着された第二包帯剤付着領域と；前記第一包帯剤付着領域から分離されるように構成された第一分離領域と；前記第二包帯剤付着領域から分離されるように構成された第二分離領域とを含む、請求項１に記載のアセンブリ。
【請求項１７】
前記第一包帯剤付着領域および前記第二包帯剤付着領域が、前記第一包帯剤付着領域と前記第二包帯剤付着領域との間に可変分離距離を含み、そして前記曲げ領域の中央から前記第一包帯剤付着領域までの第一の距離が、前記曲げ領域の前記中央から前記第二包帯剤付着領域までの第二の距離とは異なる、請求項１６に記載のアセンブリ。
【請求項１８】
前記主曲げ領域が穿孔されている、請求項１に記載のアセンブリ。
【請求項１９】
前記第一支持構造体が、前記第二支持構造体および前記包帯剤から外れるように構成されている、請求項１８に記載のアセンブリ。
【請求項２０】
前記第一支持構造体が、前記包帯剤を前記歪ませた構成で維持しながら前記第二支持構造体および前記包帯剤から外れるように構成されている、請求項１９に記載の包帯剤システム。
【請求項２１】
前記包帯剤が治療薬をさらに含む、請求項１に記載のアセンブリ。
【請求項２２】
前記治療薬が、抗生物質、抗真菌薬、コルチコステロイドおよび非ステロイド系免疫修飾薬からなる群より選択される、請求項２１に記載のアセンブリ。
【手続補正２】
【補正対象書類名】明細書
【補正対象項目名】００３６
【補正方法】変更
【補正の内容】
【００３６】
別の変形形態では、第一アプリケータ部材；第二アプリケータ部材；およびこれらの間の主曲げ領域であって主曲げ軸を含む主曲げ領域；および前記第一アプリケータ部材および前記第二アプリケータ部材に付着されている処置デバイスを含み；前記包帯剤システムは、前記処置デバイスが前記第一アプリケータ部材と前記第二アプリケータ部材との間に位置する閉じた構成、および前記第二アプリケータ部材が前記第一アプリケータ部材と前記処置デバイスとの間に位置する閉じた構成を含む、包帯剤システムを提供する。前記第二アプリケータ部材は、前記主曲げ軸に平行でない副曲げ軸を含む少なくとも１つの副曲げ領域を含むことがある。前記副曲げ軸は、前記主曲げ軸に直交することがある。前記第一アプリケータ部材は、前記主曲げ軸に平行でない副曲げ軸を含む少なくとも１つの副曲げ領域を含むことがある。前記第一アプリケータ部材の少なくとも１つの副曲げ領域を前記第二アプリケータ部材の少なくとも１つの副曲げ領域と位置合わせすることができる。前記処置デバイスは、該処置デバイスの接着面に連結された剥離ライナーをさらに含むことがある。前記処置デバイスは、穿孔領域を含むことがある。前記包帯剤システムは、前記穿孔領域に隣接して付着された細長要素をさらに含むことがある。前記細長要素は、前記処置デバイスの穿孔領域より突出していることがある。前記細長要素の少なくとも一部分を折り曲げることができ、その折り目は、前記処置デバイスの実質的な長さに沿っているだろう。前記第一アプリケータ部材および前記第二アプリケータ部材の少なくとも一方は、前記処置デバイスの中央領域を識別するしるしを含むことがある。前記しるしは、凹縁部、インクマーク、エンボス加工または窓を含み得る。前記主曲げ領域は、穿孔されていることがある。前記第一アプリケータ部材は、前記第二アプリケータ部材および前記処置デバイスから外れるように構成されている。前記第一アプリケータ部材を、前記第二アプリケータ部材および前記処置デバイスから、前記処置デバイスを歪ませた構成で維持しながら外れるように構成することができる。第二アプリケータ部材は、該包帯剤システムが閉じた構成ではなく開いている構成であるときに前記処置デバイスに接着するように構成された接着要素を含むことがある。前記第一アプリケータ部材は、付着された剥離ライナーを含むことがある。前記剥離ライナーを、前記第一アプリケータ部材における前記第一アプリケータ部材の外縁部と前記付着された処置デバイスの間に付着させることができる。
例えば、本発明は、以下の項目を提供する：
（項目１）
包帯剤システムであって、上記包帯剤システムは：
第一支持体、第二支持体、およびこれらの間の主曲げ領域であって、主曲げ軸を含む、主曲げ領域；ならびに
上記第一支持体に付着された第一付着領域と、上記第二支持体に付着された第二付着領域と、上記第一付着領域から分離されるように構成された第一分離領域と、上記第二付着領域から分離されるように構成された第二分離領域とを含む処置デバイス
を含む、包帯剤システム。
（項目２）
上記第一分離領域および上記第二分離領域が穿孔を含む、項目１に記載の包帯剤システム。
（項目３）
上記穿孔に沿って位置する取っ手要素をさらに含む、項目２に記載の包帯剤システム。
（項目４）
上記処置デバイスが、上記主曲げ領域に対して非対称に上記第一支持体および上記第二支持体に付着されている、項目１から３のいずれか一項に記載の包帯剤システム。
（項目５）
上記第一支持体と上記主曲げ軸との間の第一の距離が、上記第二支持体と上記主曲げ軸との間の第二の距離とは異なる、項目１から４のいずれか一項に記載の包帯剤システム。
（項目６）
上記処置デバイスが上記第一支持体と上記第二支持体との間に位置する閉じた構成、および上記第二支持体が上記第一支持体と上記処置デバイスとの間に位置する閉じた構成を含む、項目１から５のいずれか一項に記載の包帯剤システム。
（項目７）
上記第二支持体が、上記主曲げ軸に平行でない副曲げ軸を含む少なくとも１つの副曲げ領域を含む、項目１から６のいずれか一項に記載の包帯剤システム。
（項目８）
上記副曲げ軸が、上記主曲げ軸に直交する、項目７に記載の包帯剤システム。
（項目９）
上記第一支持体が、上記主曲げ軸に平行でない副曲げ軸を含む少なくとも１つの副曲げ領域を含む、項目７に記載の包帯剤システム。
（項目１０）
上記第一支持体の上記少なくとも１つの副曲げ領域が、上記第二支持体の上記少なくとも１つの副曲げ領域と整列される、項目９に記載の包帯剤システム。
（項目１１）
上記処置デバイスが、上記処置デバイスの接着面に連結された剥離ライナーをさらに含む、項目１から１０のいずれか一項に記載の包帯剤システム。
（項目１２）
上記処置デバイスが、穿孔領域を含む、項目１から１１のいずれか一項に記載の包帯剤システム。
（項目１３）
上記穿孔領域に隣接して付着された細長要素をさらに含む、項目１２に記載の包帯剤システム。
（項目１４）
上記細長要素が、上記処置デバイスの上記穿孔領域より突出している、項目１３に記載の包帯剤システム。
（項目１５）
上記細長要素の少なくとも一部分が折り畳まれる、項目１３または１４のいずれか一項に記載の包帯剤システム。
（項目１６）
上記第一支持体および上記第二支持体の少なくとも一方が、上記処置デバイスの中央領域を識別するしるしを含む、項目１から１５のいずれか一項に記載の包帯剤システム。
（項目１７）
上記しるしが、凹縁部、インクマーク、エンボス加工または窓を含む、項目１６に記載の包帯剤システム。
（項目１８）
上記主曲げ領域が穿孔される、項目１から１７のいずれか一項に記載の包帯剤システム。
（項目１９）
上記第一支持体が、上記第二支持体および上記処置デバイスから外れるように構成されている、項目１８に記載の包帯剤システム。
（項目２０）
上記第一支持体が、上記処置デバイスを歪ませた構成で維持しながら、上記第二支持体および上記処置デバイスから外れるように構成されている、項目１９に記載の包帯剤システム。
（項目２１）
上記第二支持体が、上記包帯剤システムが閉じた構成ではなく開いている構成であるときに上記処置デバイスに接着するように構成された接着要素を含む、項目１から２０のいずれか一項に記載の包帯剤システム。
（項目２２）
上記第一支持体が、付着された剥離ライナーを含む、項目１から２１のいずれか一項に記載の包帯剤システム。
（項目２３）
上記剥離ライナーが、上記第一支持体の外縁部と付着された上記処置デバイスの間で上記第一支持体に付着されている、項目２２に記載の包帯剤システム。
（項目２４）
包帯剤包装アセンブリであって、上記包帯剤包装アセンブリは：
内部表面を有するベース構造体；
対向する表面を有するカバー構造体であって、上記ベース構造体は、上記カバー構造体に移動可能に連結されている、カバー構造体；ならびに
被験体の創傷または皮膚に適用されるように構成された第一の表面と背面とを含む包帯剤
を含み；
上記背面の少なくとも一部分が上記ベース構造体の上記内部表面に除去可能に連結されており；
上記カバー構造体が、上記対向する表面が上記包帯剤の上記第一の表面と相互接触し、かつ上記包帯剤の上記第一の表面に実質的に平行である第一の位置から、上記対向する表面が上記包帯剤の上記第一の表面から分離されている第二の位置へと移動するように構成されている、
包帯剤包装アセンブリ。
（項目２５）
上記包帯剤の上記第一の表面が接着領域を含む、項目２４に記載のアセンブリ。
（項目２６）
上記包帯剤の上記第一の表面が、上記包帯剤の接着領域と相互接触している接着裏当てを含む、項目２４に記載のアセンブリ。
（項目２７）
上記カバー構造体の上記対向する表面が、上記カバー構造体が上記第一の位置にあるときには上記接着領域を覆い、かつ上記カバー構造体が上記第二の位置にあるときには上記接着領域から分離される接着裏当てを含む、項目２５に記載のアセンブリ。
（項目２８）
上記包帯剤が弾性材料を含む、項目２４に記載のアセンブリ。
（項目２９）
上記包帯剤が、上記ベース構造体の上記内部表面に連結された第一付着領域と、上記カバー構造体の上記対向する表面に連結された第二付着領域とを含み、上記カバーおよび上記ベースが、上記カバーを上記第一の位置から上記第二の位置に移動したときに上記包帯剤を歪ませる歪力を発揮するように構成されている、項目２８に記載のアセンブリ。
（項目３０）
上記包帯剤に対して上記歪力を発揮するように構成された引張構造体をさらに含む、項目２９に記載のアセンブリ。
（項目３１）
上記引張構造体が：
上記第一付着領域での上記包帯剤を上記ベース構造体の上記内部表面に連結させるように構成された第一構造体と、
上記第二付着領域での上記包帯剤を上記カバーの上記対向する表面に連結させるように構成された第二構造体と
を含み；
上記引張構造体が、上記カバー構造体を、上記ベース構造体を基準にして上記第一の位置から上記第二の位置に移動させたとき、上記第一付着領域と上記第二付着領域の間の上記包帯剤に対して上記歪力を発揮するように構成されている、
項目３０に記載のアセンブリ。
（項目３２）
上記包帯剤が、上記カバーが上記第一の位置にあるときに第一の幅を有し、かつ上記カバーが上記第二の位置にあるときに第二の幅を有し、上記第二の幅が上記第一の幅より広い、項目３１に記載のアセンブリ。
（項目３３）
上記第二の幅が、上記第一の幅より少なくとも２０％広い、項目３２に記載のアセンブリ。
（項目３４）
上記第二の幅が、上記第一の幅より少なくとも４０％広い、項目３２に記載のアセンブリ。
（項目３５）
上記ベース構造体が、少なくとも１つの相対的に剛性の要素と少なくとも１つの相対的に可撓性の要素とを含み、上記相対的に剛性の要素は、第一の方向に上記歪力がかけられたときに上記包帯剤を支持するのに十分剛性であり；および上記相対的に可撓性の要素は、上記ベース構造体の第二の方向への屈曲を可能にする、項目２８に記載のアセンブリ。
（項目３６）
上記少なくとも１つの相対的に剛性の要素が、複数の可撓性の連結された、相対的に剛性の要素を含む、項目２９に記載のアセンブリ。
（項目３７）
上記カバー構造体が、少なくとも１つの相対的に剛性の要素および少なくとも１つの相対的に可撓性の要素を含む、項目２９に記載のアセンブリ。
（項目３８）
上記包帯剤を被験体の創傷または皮膚に適用した後、上記ベース構造体から上記包帯剤が剥離されるように構成された剥離デバイスをさらに含む、項目２４に記載のアセンブリ。
（項目３９）
上記ベース構造体が、上記カバー構造体に旋回可能に連結されている、項目２４に記載のアセンブリ。
（項目４０）
包帯剤包装アセンブリであって、上記包帯剤包装アセンブリは：
内部表面を有し、かつ少なくとも１つの支持要素および少なくとも１つの可撓性の要素を含むベース構造体；ならびに
被験体の創傷または皮膚に適用されるように構成された第一の表面と背面とを含む包帯剤
を含み、
上記背面の少なくとも一部分が上記ベース構造体の上記内部表面に除去可能に連結されている、包帯剤包装アセンブリ。
（項目４１）
少なくとも１つの剛性の要素が、上記少なくとも１つの可撓性の要素と互いに連結されている複数の剛性の要素を含む、項目４０に記載のアセンブリ。
（項目４２）
上記包帯剤の上記第一の表面と相互接触するように構成された対向する表面を含むカバー構造体をさらに含み、上記カバー構造体は、上記対向する表面が上記包帯剤の上記第一の表面と相互接触している第一の位置から上記カバーが上記包帯剤の上記第一の表面から分離されている第二の位置へと移動するように上記ベース構造体に移動可能に連結されている、項目４０に記載のアセンブリ。
（項目４３）
上記カバー構造体が、上記ベース構造体に旋回可能に連結されている、項目４２に記載のアセンブリ。
（項目４４）
上記カバー構造体が、少なくとも１つの支持要素、および上記カバー構造体の造形を可能にするのに十分可撓性である少なくとも１つの可撓性の要素を含む、項目４２に記載のアセンブリ。
（項目４５）
上記包帯剤の上記第一の表面が、接着領域を含む、項目４２に記載のアセンブリ。
（項目４６）
上記包帯剤の上記第一の表面が、上記包帯剤の接着領域と相互接触している接着裏当てを含む、項目４２に記載のアセンブリ。
（項目４７）
上記カバー構造体の上記対向する表面が、上記第一の位置の上記接着領域を覆い、かつ上記第二の位置の上記接着領域から分離される接着裏当てを含む、項目４５に記載の包帯剤。
（項目４８）
上記包帯剤が弾性材料を含む、項目４０に記載のアセンブリ。
（項目４９）
上記包帯剤が、上記ベース構造体の上記内部表面に連結された第一付着領域と、上記カバー構造体の上記対向する表面に連結された第二付着領域とを含み、上記カバーおよび上記ベースが、上記カバーを上記第一の位置から上記第二の位置に移動したときに上記包帯剤を歪ませる歪力を発揮するように構成されている、項目４８に記載のアセンブリ。
（項目５０）
上記包帯剤に対して上記歪力を発揮するように構成された引張構造体をさらに含む、項目４９に記載のアセンブリ。
（項目５１）
上記引張構造体が：
上記第一付着領域の上記包帯剤を上記ベース構造体の上記内部表面に連結させるように構成された第一構造体；および  上記第二付着領域の上記包帯剤を上記カバーの上記対向する表面に連結させるように構成された第二構造体
を含み、
上記引張構造体が、上記カバー構造体を、上記ベース構造体を基準にして上記第一の位置から上記第二の位置に移動させたとき、上記第一付着領域と上記第二付着領域の間の上記包帯剤に対して上記歪力を発揮するように構成されている、
項目５０に記載のアセンブリ。
（項目５２）
上記包帯剤が、上記カバーが上記第一の位置にあるときに第一の幅を有し、かつ上記カバーが上記第二の位置にあるときに第二の幅を有し、上記第二の幅が上記第一の幅より広い、項目５１に記載のアセンブリ。
（項目５３）
上記第二の幅が、上記第一の幅より少なくとも２０％広い、項目５２に記載のアセンブリ。
（項目５４）
上記第二の幅が、上記第一の幅より少なくとも４０％広い、項目５２に記載のアセンブリ。
（項目５５）
被験体の創傷または皮膚に包帯剤を適用する方法であって、上記方法は：
包帯剤包装アセンブリを提供する工程であって、上記包帯剤包装アセンブリは：
内部表面を有するベース構造体；対向する表面を有するカバー構造体であって、上記ベース構造体が上記カバー構造体に移動可能に連結されている、カバー構造体；および接着領域を備えている第一の表面と背面とを含む包帯剤を含み；上記背面の少なくとも一部分は、上記ベース構造体の上記内部表面に除去可能に連結されており、かつ上記カバー構造体の上記対向する表面が、上記カバー構造体が第一の位置にあるとき上記接着領域を覆う接着裏当てを含む、
工程；
上記カバー構造体を、上記ベース構造体を基準にして、上記対向する表面を上記包帯剤の上記第一の表面から分離し、かつ上記接着裏当てを上記接着領域から分離するように第二の位置に旋回させる工程；
上記包帯剤の上記第一の表面を被験体の創傷または皮膚に適用して、その後、上記包帯剤を上記ベース構造体から剥離する工程
を包含する、方法。
（項目５６）
上記包帯剤の上記背面の少なくとも一部分が、上記カバー構造体に連結されており、そして上記方法が、上記カバー構造体を、上記ベース構造体を基準にして上記包帯剤を歪ませるように旋回させる工程をさらに包含する、項目５５に記載の方法。
（項目５７）
包帯剤アプリケータであって、上記包帯剤アプリケータは：
第一包帯剤付着領域および第二包帯剤付着領域であって、上記第一包帯剤付着領域と上記第二包帯剤付着領域との間に可変分離距離を含む、第一包帯剤付着領域および第二包帯剤付着領域と、
上記可変分離領域を変更する、上記第一包帯剤付着領域と上記第二包帯剤付着領域との間の曲げ領域とを含み、
上記曲げ領域の中央から第一包帯剤付着エリアまでの第一の距離が、上記曲げ領域の上記中央から第二包帯剤付着エリアまでの第二の距離とは異なる、
包帯剤アプリケータ。
（項目５８）
包帯剤引張デバイスであって、
第一担体縁部と第二対向担体縁部とを含む包帯剤担体であって、上記第一担体縁部と上記第二対向担体縁部とは、それらの間の担体幅を規定する、包帯剤担体；
上記包帯剤担体を基準にして第一の位置から第二の包帯剤引張位置まで移動するように構成された引張要素；および
上記担体に上記第一担体縁部に隣接して連結された第一包帯剤縁部と、上記引張要素に連結された付着要素に連結された第二の包帯剤縁部とを備えている包帯剤を含む包帯剤アセンブリ
を含み；
上記引張要素の上記第一の位置では、上記第二包帯剤縁部が、上記担体幅内の上記第二担体縁部からの第一の距離であり、そして上記引張要素の上記第二の位置では、上記第二包帯剤縁部が、上記担体幅内の上記第二担体縁部からの第二の距離であり、上記第一の距離が上記第二の距離より長い、
包帯剤引張デバイス。
（項目５９）
上記引張要素を上記第一の位置と上記第二の位置との間で移動するとき、上記第一の包帯剤縁部が、上記第二の包帯剤縁部に対して相対的に固定される、項目５８に記載のデバイス。
（項目６０）
包帯剤包装アセンブリであって、上記包帯剤包装アセンブリは：
内部表面を有するベース構造体；
対向する表面を有するカバー構造体であって、上記ベース構造体は、上記カバー構造体に移動可能に連結されている、カバー構造体；および
被験体の創傷または皮膚に適用されるように構成された第一の表面と背面とを含む包帯剤
を含み；
上記背面の少なくとも一部分が上記ベース構造体の上記内部表面に除去可能に連結されており；
上記カバー構造体が、上記対向する表面が上記包帯剤の上記第一の表面と相互接触している第一の位置から、上記対向する表面が上記包帯剤の上記第一の表面から分離されている第二の位置へと移動し、上記第二の位置が上記第一の位置を基準にして少なくとも約１８０度回転されるように構成されている、
包帯剤包装アセンブリ。
（項目６１）
上記包帯剤の上記第一の表面が接着領域を含む、項目６０に記載のアセンブリ。
（項目６２）
上記包帯剤の上記第一の表面が、上記包帯剤の接着領域と相互接触している接着裏当てを含む、項目６０に記載のアセンブリ。
（項目６３）
上記カバー構造体の上記対向する表面が、上記カバー構造体が上記第一の位置にあるときには上記接着領域を覆い、かつ上記カバー構造体が上記第二の位置にあるときには上記接着領域から分離される接着裏当てを含む、項目６１に記載のアセンブリ。
（項目６４）
上記包帯剤が弾性材料を含む、項目６０に記載のアセンブリ。
（項目６５）
上記包帯剤が、上記ベース構造体の上記内部表面に連結された第一付着領域と、上記カバー構造体の上記対向する表面に連結された第二付着領域とを含み、上記カバーおよび上記ベースが、上記カバーを上記第一の位置から上記第二の位置に移動したときに上記包帯剤を歪ませる歪力を発揮するように構成されている、項目６４に記載のアセンブリ。
（項目６６）
上記包帯剤に対して上記歪力を発揮するように構成された引張構造体をさらに含む、項目６５に記載のアセンブリ。
（項目６７）
上記引張構造体が：
上記第一付着領域での上記包帯剤を上記ベース構造体の上記内部表面に連結させるように構成された第一構造体と、
上記第二付着領域での上記包帯剤を上記カバーの対向する表面に連結させるように構成された第二構造体と
を含み；
上記引張構造体が、上記カバー構造体を上記ベース構造体を基準にして上記第一の位置から上記第二の位置に移動させたとき、上記第一付着領域と上記第二付着領域との間の上記包帯剤に上記歪力を発揮するように構成されている、
項目６６に記載のアセンブリ。
（項目６８）
上記包帯剤が、上記カバーが上記第一の位置にあるときに第一の幅を有し、および上記カバーが上記第二の位置にあるときに第二の幅を有し、上記第二の幅が上記第一の幅より広い、項目６７に記載のアセンブリ。
（項目６９）
上記第二の幅が、上記第一の幅より少なくとも２０％広い、項目６８に記載のアセンブリ。
（項目７０）
上記第二の幅が、上記第一の幅より少なくとも４０％広い、項目６８に記載のアセンブリ。
（項目７１）
上記ベース構造体が、少なくとも１つの相対的に剛性の要素と少なくとも１つの相対的に可撓性の要素とを含み、上記相対的に剛性の要素は、第一の方向に上記歪力がかけられたときに上記包帯剤を支持するのに十分剛性であり；そして上記相対的に可撓性の要素は、上記ベース構造体の第二の方向への屈曲を可能にする、項目６４に記載のアセンブリ。
（項目７２）
包帯剤パッケージであって、上記包帯剤パッケージは：
第一担体縁部と、上記第一担体縁部に対向する第二担体縁部と、被験体への包帯剤の適用中に上記包帯剤を支持するように構成された上記第一縁部と上記第二縁部の間に延びる支持構造体とを含む包帯剤担体；および
第一包帯剤縁部と、上記第一包帯剤縁部に対向する第二包帯剤縁部と、背面と、対向する皮膚相互接触面とを含む包帯剤
を含み、
上記背面の少なくとも一部分が、上記包帯剤担体に除去可能に連結されており、上記第一包帯剤縁部および上記第二包帯剤縁部が、上記第一担体縁部と上記第二担体縁部の間に位置し、かつ
上記第一包帯剤縁部が、上記第一包帯剤縁部と上記第一担体縁部の間の第一マージンを規定し、および上記第二包帯剤縁部が、上記第二包帯剤縁部と上記第二担体縁部の間の第二マージンを規定し、上記第一マージンおよび上記第二マージンの各々が、少なくとも３ミリメートルの幅を有する、
包帯剤パッケージ。
（項目７３）
包帯剤システムであって、上記包帯剤システムは：
第一引張部材；第二引張部材；これらの間の主曲げ領域であって、主曲げ軸を含む、主曲げ領域；および
上記主曲げ領域に対して非対称に上記第一引張部材および上記第二引張部材に付着されている処置デバイス
を含む、包帯剤システム。
（項目７４）
上記処置デバイスが、上記第一引張部材に付着されている第一端部、および第二引張部材に付着されている第二端部を含み、上記第一引張部材と上記主曲げ軸との間の第一の距離が、上記第二引張部材と上記主曲げ軸との間の第二の距離と異なる、項目７３に記載の包帯剤システム。
（項目７５）
上記処置デバイスが上記第一引張部材と上記第二引張部材との間に位置する閉じた構成、および上記第二引張部材が上記第一引張部材と上記処置デバイスとの間に位置する開いている構成を含む、項目７３または７４に記載の包帯剤システム。
（項目７６）
上記第二引張部材が、上記主曲げ軸に平行でない副曲げ軸を含む少なくとも１つの副曲げ領域を含む、項目７３から７５のいずれか一項に記載の包帯剤システム。
（項目７７）
上記副曲げ軸が上記主曲げ軸に直交する、項目７６に記載の包帯剤システム。
（項目７８）
上記第一引張部材が、上記主曲げ軸に平行でない副曲げ軸を含む少なくとも１つの副曲げ領域を含む、項目７６に記載の包帯剤システム。
（項目７９）
上記第一引張部材の上記少なくとも１つの副曲げ領域が、上記第二引張部材の上記少なくとも１つの副曲げ領域と整列されている、項目７８に記載の包帯剤システム。
（項目８０）
上記処置デバイスが、上記処置デバイスの接着面に連結された剥離ライナーをさらに含む、項目７３から７９のいずれか一項に記載の包帯剤システム。
（項目８１）
上記処置デバイスが、穿孔領域を含む、項目７３から８０のいずれか一項に記載の包帯剤システム。
（項目８２）
上記穿孔領域に隣接して付着された細長要素をさらに含む、項目８１に記載の包帯剤システム。
（項目８３）
上記細長要素が、上記処置デバイスの上記穿孔領域より突出している、項目８２に記載の包帯剤システム。
（項目８４）
上記細長要素の少なくとも一部分が折り畳まれる、項目８１に記載の包帯剤システム。
（項目８５）
上記第一引張部材および上記第二引張部材の少なくとも一方が、上記処置デバイスの中央領域を識別するしるしを含む、項目７３から８４のいずれか一項に記載の包帯剤システム。
（項目８６）
上記しるしが、凹縁部、インクマーク、エンボス加工または窓を含む、項目８５に記載の包帯剤システム。
（項目８７）
上記主曲げ領域が穿孔される、項目７３から８６のいずれか一項に記載の包帯剤システム。
（項目８８）
上記第一引張部材が、上記第二引張部材および上記処置デバイスから外れるように構成されている、項目８７に記載の包帯剤システム。
（項目８９）
上記第一引張部材が、上記処置デバイスを歪ませた構成で維持しながら上記第二引張部材および上記処置デバイスから外れるように構成されている、項目８８に記載の包帯剤システム。
（項目９０）
上記第二引張部材が、上記包帯剤システムが上記閉じた構成ではなく上記開いている構成であるときに上記処置デバイスに接着するように構成された接着要素を含む、項目７３から８９のいずれか一項に記載の包帯剤システム。
（項目９１）
上記第一引張部材が、付着された剥離ライナーを含む、項目７３から９０のいずれか一項に記載の包帯剤システム。
（項目９２）
上記剥離ライナーが、上記第一引張部材の外縁部と付着された上記処置デバイスとの間で上記第一引張部材に付着されている、項目９１に記載の包帯剤システム。
（項目９３）
包帯剤システムであって、上記包帯剤システムは：
第一アプリケータ部材；第二アプリケータ部材；およびこれらの間の主曲げ領域であって、主曲げ軸を含む主曲げ領域；ならびに
上記第一アプリケータ部材および上記第二アプリケータ部材に付着されている処置デバイス
を含み；
上記処置デバイスが上記第一アプリケータ部材と上記第二アプリケータ部材との間に位置する閉じた構成、および上記第二アプリケータ部材が上記第一アプリケータ部材と上記処置デバイスとの間に位置する閉じた構成を含む、
包帯剤システム。
（項目９４）
上記第二アプリケータ部材が、上記主曲げ軸に平行でない副曲げ軸を含む少なくとも１つの副曲げ領域を含む、項目９３に記載の包帯剤システム。
（項目９５）
上記副曲げ軸が、上記主曲げ軸に直交する、項目９４に記載の包帯剤システム。
（項目９６）
上記第一アプリケータ部材が、上記主曲げ軸に平行でない副曲げ軸を含む少なくとも１つの副曲げ領域を含む、項目９４に記載の包帯剤システム。
（項目９７）
上記第一アプリケータ部材の上記少なくとも１つの副曲げ領域が、上記第二アプリケータ部材の上記少なくとも１つの副曲げ領域と整列されている、項目９６に記載の包帯剤システム。
（項目９８）
上記処置デバイスが、上記処置デバイスの接着面に連結された剥離ライナーをさらに含む、項目９３に記載の包帯剤システム。
（項目９９）
上記処置デバイスが、穿孔領域を含む、項目９３に記載の包帯剤システム。
（項目１００）
上記穿孔領域に隣接して付着された細長要素をさらに含む、項目９９に記載の包帯剤システム。
（項目１０１）
上記細長要素が、上記処置デバイスの上記穿孔領域より突出している、項目１００に記載の包帯剤システム。
（項目１０２）
上記細長要素の少なくとも一部分が折り畳まれる、項目１００または１０１に記載の包帯剤システム。
（項目１０３）
上記第一アプリケータ部材および上記第二アプリケータ部材の少なくとも一方が、上記処置デバイスの中央領域を識別するしるしを含む、項目９３から１０２のいずれか一項に記載の包帯剤システム。
（項目１０４）
上記しるしが、凹縁部、インクマーク、エンボス加工または窓を含む、項目１０３に記載の包帯剤システム。
（項目１０５）
上記主曲げ領域が穿孔される、項目９３から８１のいずれか一項に記載の包帯剤システム。
（項目１０６）
上記第一アプリケータ部材が、上記第二アプリケータ部材および上記処置デバイスから外れるように構成されている、項目９３から１０５のいずれか一項  に記載の包帯剤システム。
（項目１０７）
上記第一アプリケータ部材が、上記処置デバイスを歪ませた構成で維持しながら上記第二アプリケータ部材および上記処置デバイスから外れるように構成されている、項目１０６に記載の包帯剤システム。
（項目１０８）
上記第二アプリケータ部材が、上記包帯剤システムが上記閉じた構成ではなく上記開いている構成であるときに上記処置デバイスに接着するように構成された接着要素を含む、項目９３から１０７のいずれか一項に記載の包帯剤システム。
（項目１０９）
上記第一アプリケータ部材が、付着された剥離ライナーを含む、項目９３から１０８のいずれか一項に記載の包帯剤システム。
（項目１１０）
上記剥離ライナーが、上記第一アプリケータ部材の外縁部と上記付着された処置デバイスとの間で上記第一アプリケータ部材に付着されている、項目１０９に記載の包帯剤システム。